(57)【要約】【課題】パスワードの設定を画像形成装置に予め搭載されている複数の入力デバイスの組み合わせにより行うことで、パスワードの組み合わせパターンを増やし、パスワードの文字列を知られても入力デバイスの組み合わせが特定されない限り、容易にセキュリティが解除されない画像形成装置を提供する。【解決手段】複数のコード情報で構成されるパスワードを設定するパスワード設定部と、前記パスワードを入力する操作部と、前記パスワード設定部に予め設定されたパスワードと前記操作部で入力されたパスワードとを照合し、前記照合結果に基づいて操作を許容するパスワード認証部を備えた画像形成装置であって、前記操作部に、同一のコード情報を入力する複数の入力デバイスを備え、前記パスワードを構成する前記コード情報に、該コード情報が入力された入力デバイスの属性情報が付加されている。【選択図】図３
2009104339.tif 000002
【特許請求の範囲】
【請求項１】
複数のコード情報で構成されるパスワードを設定するパスワード設定部と、前記パスワードを入力する操作部と、前記パスワード設定部に予め設定されたパスワードと前記操作部で入力されたパスワードとを照合し、前記照合結果に基づいて操作を許容するパスワード認証部を備えた画像形成装置であって、
前記操作部に、同一のコード情報を入力する複数の入力デバイスを備え、前記パスワードを構成する前記コード情報に、該コード情報が入力された入力デバイスの属性情報が付加されている画像形成装置。
【請求項２】
前記パスワード設定部は、前記パスワードを構成するコード情報に該コード情報が入力された入力デバイスの属性情報を付加する第一設定モードと、前記入力デバイスの属性情報を付加しない第二設定モードを備え、パスワードの設定時に、前記第一または第二設定モードが選択可能である請求項１記載の画像形成装置。
【請求項３】
前記第一設定モードで設定されたパスワードと、前記第二設定モードで設定されたパスワードで、取り扱うコンテンツに対するセキュリティレベルを異なるレベルに自動設定するセキュリティ管理部を備えた請求項２記載の画像形成装置。
【発明の詳細な説明】
【技術分野】
【０００１】
本発明は、画像形成装置に予め搭載されている入力デバイスを組み合わせることで、パスワードのパターンを増やし、セキュリティ機能をより強固にした画像形成装置に関する。
【背景技術】
【０００２】
近年、企業における情報漏洩等に対するセキュリティ意識の向上から、画像形成装置には様々なセキュリティ機能が付加されており、代表的なものとしてはパスワード認証がある。このパスワード認証は多くの場合、操作画面上に表示されたタッチパネルを用いて入力する。しかし利用者がパスワードを入力する際の指や手等の動きからパスワードが推測され、セキュリティが解除され、機密文書が複写、漏洩され、また、情報が盗視され悪用される可能性がある。
【０００３】
そこで、容易にセキュリティが解除される事を防ぐため、特許文献１に記載のように、タッチパネルに０〜９の各入力キーを複数設け、各入力キーの数字の配列を不規則にする等により、利用者が入力したパスワードが、利用者の指などの動きから他人に容易に知られないようなパスワード入力装置が提案されている。
【０００４】
また、特許文献２に記載のように、タッチパネルに０〜９の各入力キーを複数設け、複数設けられた各数字を不規則に配置して表示し、一度押下した位置では再押下不可とし、他人にパスワード入力時の表示を盗視された場合でも、容易にパスワードを知られないようなパスワード入力装置が提案されている。
【特許文献１】特開平９−２９７８７５号公報
【特許文献２】特開２００６−２４３９３８号公報
【発明の開示】
【発明が解決しようとする課題】
【０００５】
しかし、上述のパスワード入力装置は何れも、タッチパネルに表示される入力キーの数を増やし、入力操作する際の指や手等の動きからパスワードの推測を困難にするものであるが、一度パスワードの文字列が特定されると、入力時に入力キーの数が多くとも容易にセキュリティが解除でき、また、パスワードの文字列が特定できなくとも、パスワードの組み合わせは有限であり、仮に０〜９の数字の組み合わせからなる４桁のパスワードであればパスワードの組み合わせのパターンは１００００通りしかなく、文字列を順番に入力していけばセキュリティが解除できるものであった。
【０００６】
また、上述の不具合を避けるために複雑なセキュリティ機能を搭載すると、特にローエンド機ではコストの増加につながってしまうという問題があった。
【０００７】
よって、本発明の目的は、上述の問題点に鑑み、画像形成装置に予め搭載されている入力デバイスを組み合わせることにより、パスワードの設定を単一の入力デバイスのみでなく、複数の入力デバイスの組み合わせにより行うことで、さらにパスワードの組み合わせパターンを増やし、利用者の動作から他人に容易に知られることがなく、パスワードの文字列を知られても入力デバイスの組み合わせが特定されない限り、容易にセキュリティが解除されない画像形成装置を提供する。
【課題を解決するための手段】
【０００８】
上述の目的を達成するため、本発明による画像形成装置の第一の特徴構成は、特許請求の範囲の書類の請求項１に記載した通り、複数のコード情報で構成されるパスワードを設定するパスワード設定部と、前記パスワードを入力する操作部と、前記パスワード設定部に予め設定されたパスワードと前記操作部で入力されたパスワードとを照合し、前記照合結果に基づいて操作を許容するパスワード認証部を備えた画像形成装置であって、前記操作部に、同一のコード情報を入力する複数の入力デバイスを備え、前記パスワードを構成する前記コード情報に、該コード情報が入力された入力デバイスの属性情報が付加されている点にある。
【０００９】
上述の構成によると、パスワード認証部がパスワード設定部に予め操作部に備えた複数の入力デバイスを用いて設定されたパスワードと、操作部で入力されたパスワードと照合する際に、パスワードを構成するコード情報と入力デバイスの属性情報が一致しないと操作を許容しないようにできるので、パスワードを構成する桁数を増やさなくてもパスワードの組み合わせを増やすことができ、複雑なセキュリティ機能を搭載しなくても、セキュリティをより強固にできる。
【００１０】
同第二の特徴構成は、同請求項２記載の通り、前記第一特徴構成に加え、前記パスワード設定部は、前記パスワードを構成するコード情報に該コード情報が入力された入力デバイスの属性情報を付加する第一設定モードと、前記入力デバイスの属性情報を付加しない第二設定モードを備え、パスワードの設定時に、前記第一または第二設定モードが選択可能である点にある。
【００１１】
上述の構成によると、パスワード認証部がパスワード設定部に予め設定されたパスワードと、操作部で入力されたパスワードと照合する際に、パスワードを構成するコード情報と入力デバイスの属性情報が一致しないと操作を許容しないようにできる第一設定モードと、パスワードを構成するコード情報に入力デバイスの属性情報が付加されていないため、何れの入力デバイスによっても前記コード情報が一致さえすれば操作を許容する第二設定モードを、ユーザ及び管理者が、ユーザ名及びパスワードの設定時に選択可能であるので、パスワードの組み合わせを増やし、セキュリティを強固にしたい場合は第一設定モード、通常のセキュリティで十分な場合は第二設定モードを選択というように使い分けることができる。
【００１２】
同第三の特徴構成は、同請求項３に記載の通り、前記第二特徴構成に加え、前記第一設定モードで設定されたパスワードと、前記第二設定モードで設定されたパスワードで、取り扱うコンテンツに対するセキュリティレベルを異なるレベルに自動設定するセキュリティ管理部を備えた点にある。
【００１３】
上述の構成によると、前記第一設定モードが選択された場合は、画像形成装置を扱うユーザ、前記ユーザが該画像形成装置で扱うコンテンツのセキュリティレベルを自動で高く設定し、該ユーザ以外の第三者によるコンテンツの盗視及び利用を困難にし、前記第二設定モードが選択された場合は、画像形成装置を扱うユーザ、前記ユーザが該画像形成装置で扱うコンテンツは、例えばユーザが異なっても前記コンテンツを自由に利用できる等の設定が自動ででき、セキュリティレベルの設定の煩わしさが解消される。
【発明の効果】
【００１４】
以上説明した通り、本発明によれば、画像形成装置に予め搭載されている入力デバイスを組み合わせることにより、パスワードの設定を単一の入力デバイスのみでなく、複数の入力デバイスの組み合わせにより行うことで、さらにパスワードの組み合わせパターンを増やし、利用者の指や手等の動作から他人に容易に知られることがなく、またパスワードの文字列を知られても入力デバイスの組み合わせが特定されない限り、容易にセキュリティが解除されない画像形成装置を提供することができるようになった。
【発明を実施するための最良の形態】
【００１５】
以下、本発明による画像形成装置の実施の形態を説明する。
【００１６】
画像形成装置１００は、図１に示すように、画像形成装置１００の各種設定をするための複数のメニューキー等が配置された操作部２００と、原稿載置部１１０にセットされた原稿を読み取って画像データに変換する画像読取部１２０と、前記画像読取部１２０の下部に設けられ、前記画像読取部１２０によって読み取られた画像データに基づいて用紙上にトナー像を形成して出力する画像形成部１３０と、各種サイズの用紙が収容された複数の給紙カセット１４０（１４０ａ，１４０ｂ，１４０ｃ，１４０ｄ）と、前記トナー像が形成された用紙が排出される用紙排出部１５０を備えている。
【００１７】
前記操作部２００は、図２に示すように、中央部にタッチパネル式の液晶表示部２０１を備え、その右側に「０」乃至「９」の数値キー及び星印キー、井桁キーを備え、コピー枚数をセットするときや数値を入力するときに押下する第一入力デバイスとしてのテンキー２０２と、スタートキー２０３、ストップ／クリアキー２０４、リセットキー２０５等の複写動作の基本制御キー郡が配置され、前記基本制御キー郡の上部に、初期設定など機械の各設定を行う初期設定キー２１１、装置１００待機中に部門コード入力画面に切替を行う部門管理キー２１２、コピー機能使用時に割り込みコピーを行う割込キー２１３、装置１００の節電機能及びその解除を行う節電キー２１４が配置され、液晶表示部２０１の左側に、原稿読取部１２０で読み取られた画像データを用紙に出力するコピーモードキー２０６、ネットワークに接続されたコンピュータ等からの出力データを用紙に印字出力するプリンタモードキー２０７、原稿から読み取った画像データをネットワーク出力するスキャナモードキー２０８、原稿から読み取った画像データをＦＡＸ出力するＦＡＸモードキー２０９が配置され、その上部には液晶表示部２０１の明るさを調整する輝度調整つまみ２１０が配置され構成されている。
【００１８】
前記タッチパネル式の液晶表示部２０１は、画像形成装置１００の操作の手順や不具合、各種操作キー及び第二の入力デバイスとしてのテンキー２１５等を表示し、前記各種操作キー及びテンキー２１５は指等で触れることでキーに表示された機能等の選択及び決定がなされるように構成されている。
【００１９】
また、画像形成装置１００内には、画像形成装置１００の各機能ブロックを制御するシステム制御部３００が備えられている。
【００２０】
前記システム制御部３００は、図３に示すように、ＣＰＵが組み込まれたマイクロコンピュータ３０１と、ＣＰＵにより実行される制御プログラムや制御用のテーブルデータが格納されたＲＯＭ３０２と、各機能ブロックを制御するための演算データや制御データが格納され、各機能ブロックに関するデータを一時的に記憶する不揮発性のＲＡＭ３０３と、各種管理情報や前記画像読取部１２０によって読み取られた画像データ等のコンテンツを記憶するハードディスク３０４と、各機能ブロックに対する制御信号や各機能ブロックに組み込まれたセンサ等からの信号を入力する入出力インタフェースと、操作部２００を制御する操作制御部２２０や、画像読取部１２０を制御する画像読取制御部１２１、画像形成部１３０を制御する画像形成制御部１３１、ＦＡＸで画像データの送受信を行うためのＦＡＸモデム３０５と、画像形成装置１００外部のパーソナルコンピュータ３０６，３０７をＬＡＮ接続するインタフェース回路３０８と、各種制御データをシリアル通信するコマンドバス３０９と、画像データの通信を行う画像バス３１０等を備えている。
【００２１】
前記操作制御部２２０は、パスワード設定部２２１、パスワード認証部２２２を備え、前記パスワード設定部２２１は、操作部２００に備えられた第一入力デバイスとしてのテンキー２０２及び液晶表示部２０１に表示される第二入力デバイスとしてのテンキー２１５より入力されたパスワードを構成するコード情報に、該コード情報が入力された入力デバイスの属性情報を付加する第一設定モードと、前記入力デバイスの属性情報を付加しない第二設定モードを備え、パスワードの設定時に、前記第一または第二設定モードが選択可能に構成されている。
【００２２】
前記パスワード認証部２２２は、テンキー２０２及びテンキー２１５を介して入力された数値列と、前記パスワード設定部２２１に予め設定されたパスワードと照合し、前記照合結果に基づいて操作を許容するように構成されている。
【００２３】
前記システム制御部３００は、前記第一設定モードで設定されたパスワードと、前記第二設定モードで設定されたパスワードで、取り扱うコンテンツに対するセキュリティレベルを異なるレベルに自動設定するセキュリティ管理部３１１を備えている。
【００２４】
前記セキュリティ管理部３１１は、ハードディスク３０４に蓄積された画像データ等のコンテンツに関し、パスワード認証による前記コンテンツの読み出しの制限または解除、利用済みのハードディスク３０４の残存コンテンツの削除、セキュリィウォーターマークの付加の有無、不正アクセスや情報漏洩を防止するＳＳＬ暗号化、ＰＤＦの暗号化及び、ＰＣ送信、ＦＴＰ送信、Ｅ−Ｍａｉｌ送信、ＦＡＸ送信の機能の制限または解除等の設定を行う。
【００２５】
上述の構成により、システム制御部３００は、コマンドバス３０９を介して各種制御データや、各機能ブロックに組み込まれたセンサ等からの入力信号に基づいて、所定の制御演算を実行して、各機能ブロック等に対する制御信号を出力することにより画像形成装置１００のシステムを統括制御することとなる。
【００２６】
以下、図４に示すフローチャートに基づいて、画像形成装置１００におけるユーザ名及びパスワードの設定について説明する。
【００２７】
管理者権限を有するユーザ（以下、管理者と記す）が操作部２００の初期設定キー２１１を押下すると、初期設定モードとなり（ＳＡ１）、液晶表示部２０１には、管理者のみが操作できる初期設定画面が表示される。初期設定画面では画像形成装置１００のユーザの管理、コピーの管理、プリンタの管理、通信の管理等の設定ができる。なお、管理者権限のない者が前記設定を変更できないよう管理者パスワードによる認証が必要となっている。
【００２８】
次に、管理者がユーザ管理モードを選択すると（ＳＡ２）、ユーザ名及びパスワードの設定画面となり、ユーザ名が設定できるようになり、ユーザ名を設定すると（ＳＡ３）、パスワードの第一設定モードと第二設定モードの選択が可能となり、第一設定モードを選択すると（ＳＡ４）、第一設定モードでのパスワードの設定ができるようになる。
【００２９】
第一設定モードではパスワードを構成するコード情報に、入力デバイスの属性情報が付加されるので、テンキー２０２またはテンキー２１５から任意の数値を入力することとなる（ＳＡ７，ＳＡ８）。４桁の数値列を入力し、パスワード設定が完了したら（ＳＡ９）、パスワード設定部にユーザ名とパスワードが設定される（ＳＡ１０）。以降ユーザ名とパスワード及び該ユーザ名によるログイン時に画像形成装置１００で扱うコンテンツはリンク付けされる。
【００３０】
上述の第一設定モードでは、４桁の数値列「１２３４」でパスワードを構成する場合、図５（ａ）に示すパスワードと、図５（ｂ）に示すパスワードは、パスワードの３桁目が「３」というコード情報でも、テンキー２０２とテンキー２１５の入力デバイスの属性情報が異なるため、同一のパスワードとして扱われない。
【００３１】
第二設定モードを選択した場合は（ＳＡ１１）、パスワードを構成する入力デバイスの属性情報が付加されないので、テンキー２０２及びテンキー２１５のどちらで数値を入力してもよく、４桁の数値列「１２３４」を入力し（ＳＡ１１、ＳＡ１２）、パスワードの設定が完了したら（ＳＡ１３）、パスワード設定部にユーザ名とパスワードが設定される（ＳＡ１４）。以降ユーザ名とパスワード及び該ユーザ名によるログイン時に画像形成装置１００で扱うコンテンツはリンク付けされる（ＳＡ１４）。
【００３２】
上述の第二設定モードでは、図５（ｃ）に示すように、パスワードを構成するコード情報に入力デバイスの属性情報が付加されないため、４桁の数値列「１２３４」でパスワードを構成する場合、そのコード情報のみが一致すれば、テンキー２０２及びテンキー２１５のどちらの入力デバイスで入力しても同一のパスワードとして扱われる。
【００３３】
以下、前記第一設定モードでユーザ名及びパスワードの設定をした、ユーザ６００が画像形成装置１００にログインする動作について、図６のフローチャートと図７に示す液晶表示部２０１の表示に基づいて説明する。
【００３４】
ユーザ６００が画像形成装置１００に電源を投入すると（ＳＢ１）、液晶表示部２０１にはログイン画面２１６が表示される（ＳＢ２）。前記ログイン画面２１６ではユーザ名とパスワード入力枠が表示され、ユーザ６００は自分のユーザ名を予め設定されたユーザリストから選択し入力することとなる（ＳＢ３）。
【００３５】
次に、パスワード入力枠に数値入力可能であることを示すカーソルが点滅表示する。前記テンキー２０２またはテンキー２１５により、１桁目を入力すると（ＳＡ４）、入力をパスワード認証部２２２が受け付けたことを示すとともに、入力された数値が他人に確認されないように「＊」が入力した数値の代わりに表示され、２桁目の入力を促すようにカーソルが２桁目の位置で点滅する。同様に２桁目を入力すると、図６（ａ）に示すように、３桁目の入力を促すようにカーソルが３桁目の位置で点滅する。このようにユーザ６００は、前記カーソルが点滅しているパスワード入力枠にテンキー２０２またはテンキー２１５を介して所定の数値列を入力することとなる（ＳＢ８）。
【００３６】
前記パスワード認証部２２２は、テンキー２０２で入力されれば（ＳＢ５）、入力された数値のコード情報にテンキー２０２の属性情報を付加して記憶し、テンキー２１５で入力されれば、入力された数値のコード情報にテンキー２１５の属性情報を付加して記憶する（ＳＢ７）。
【００３７】
ユーザ６００は、所定の数値列を入力し終えると、ログインキーを押す（ＳＢ９）。
【００３８】
パスワード認証部２２２は、ユーザ６００が入力した数値列と、パスワード設定部２２１に予め設定されたパスワードを比較し、コード情報及び入力デバイスの属性情報が共に一致すれば（ＳＢ１０）、ログインを許可し、図６（ｂ）に示すように、画像形成装置１００の操作を許容するとともに、液晶表示部に種々の機能を入力操作可能な機能設定画面２１７を表示する。
【００３９】
数値の入力ミス及び入力デバイスの属性情報の不一致により、入力された数値列が予め設定されたパスワードと一致しない場合は、図６（ｃ）に示すように、「パスワードが間違っています。」といった表示２１８をし、ユーザ６００に再度数値列の入力を促すこととなる。なお、数値入力の途中で、ストップ／クリアキー２０４を押すことでパスワード入力を中断しログイン初期画面に戻る構成としてもよい。
【００４０】
次に、上述の第一設定モードでパスワードを設定したユーザ６００が扱うコンテンツのセキュリティについて説明する。
【００４１】
画像形成装置１００が、ユーザが異なると他のユーザの有するコンテンツが利用できないような場合、ユーザ６００は、第一設定モードでパスワードを設定しているので、前記セキュリティ管理部３１１は、ユーザ６００が扱うハードディスク３０４に蓄積された画像データ等のコンテンツに関し、パスワード認証による前記コンテンツの読み出しの制限、利用済みのハードディスク３０４の残存コンテンツの削除、セキュリィウォーターマークの付加、不正アクセスや情報漏洩を防止するＳＳＬ暗号化、ＰＤＦの暗号化及び、ＰＣ送信、ＦＴＰ送信、Ｅ−Ｍａｉｌ送信、ＦＡＸ送信の機能の制限するように自動設定する。
【００４２】
上記セキュリティ管理部３１１により自動で制限された機能に関し、仮にユーザ６００がスキャナで読み込んだ画像データを用紙にプリントアウトしたい場合は、再度ログイン時と同じパスワード認証が必要に設定される。この場合のパスワードは前記ログイン時のパスワードとは別のユーザ６００が新たに設定した第二のパスワードを必要とするものでもよい。このようにすれば各ユーザが個別に設定したパスワードに関しては、管理者権限を有しても解除できない構成にすることで、ユーザ毎のセキュリティが強固になる。
【００４３】
ユーザ６０１が、前記第二設定モードでパスワードを設定した場合、前記セキュリティ管理部３１１は、ユーザ６０１の扱うハードディスク３０４に蓄積された画像データ等のコンテンツに関して特別な制限を設定することなく、ユーザ６００がログインすればユーザ６０１のコンテンツを自由に閲覧、利用等できる。
【００４４】
上述のように、第二設定モードでパスワードを設定する場合は、入力デバイスに属性情報が付加されないので、テンキー２０２及びテンキー２１５のどちらの入力デバイスを介して数値を入力しても数値のコード情報のみでパスワードが構成されるので、「０」乃至「９」までの数字による４桁の数値列では、１０×１０×１０×１０＝１００００パターンのパスワードが設定できる。
【００４５】
第一設定モードでパスワードを設定する場合は、入力デバイスに属性情報が付加されるので、テンキー２０２及びテンキー２１５はコード情報のみならずどちらの入力デバイスで入力されたかの属性情報が付加され構成されるので、１０×２×１０×２×１０×２×１０×２＝１６００００パターンのパスワードが設定できる。
【００４６】
仮に、パスワードが１００００パターンの場合、第三者が１０秒で１パターン入力すると、最大２８時間弱で全てのパターンを入力し、パスワード認証を解除できることとなる。一般に休日となる週末の土曜日、日曜日の２日間あれば、無断で画像形成装置１００内のコンテンツを十分に閲覧、利用等できる。
【００４７】
一方、１６００００パターンの場合、第三者が１０秒で１パターン入力すると、全てのパターンを入力するのに最大１８日間強必要となり、上述のパスワードが１００００通りの場合と比較し遙かにパスワード認証を解除しにくくなる。さらに第一設定モードでパスワードが設定されたユーザ及びコンテンツに対してはセキュリティレベルが自動で高く設定されるので、さらに第三者によるコンテンツの盗視等が困難になる。
【００４８】
上述の実施形態では、第一入力デバイスとしてテンキー、第二入力デバイスとして液晶表示部に表示されたテンキーによりパスワードを入力、設定する場合について説明したが、新たにキーボードなどの第三入力デバイスを用いてパスワードを入力、設定してもよく、入力デバイスの数を増やすことで、設定できるパスワードのパターンが増えて、より強固なセキュリティとなる。
【００４９】
上述の実施形態では、パスワードの数値入力時に「＊」を表示させた場合に付いて説明したが、これに限定されるものではなく、他人が入力した数値を確認できない他の記号を用いても良く、また公知の技術を適用することも可能である。
【００５０】
上述した実施形態では、パスワードは４桁の数字を用いて構成される場合について説明したが、パスワードの桁数は適宜ユーザが選択できるものであり、また液晶表示部に表示されるテンキーはアルファベット等の文字キーであってもよく、パスワードを数値のみで構成しなくてもよい。
【００５１】
上述した実施形態での各種キーの配列、名称、形状、機能等は一例に過ぎず、これに限定するものではなく、適宜変更可能なものである。
【００５２】
上述した実施形態では、第一設定モードで設定されたパスワードと、前記第二設定モードで設定されたパスワードで、取り扱うコンテンツに対するセキュリティレベルを異なるレベルに自動設定すること関して、画像形成装置１００が、ユーザが異なると他のユーザの有するコンテンツが利用できないような場合について説明したが、これとは逆に、ユーザは他のユーザの有するコンテンツを利用できるような場合は、ユーザが、第一設定モードでパスワードを設定したときは、他のユーザの有するコンテンツを利用できるようにし、第二設定モードでパスワードを設定したときは、該第二設定モードでパスワードが設定されたユーザは他のユーザの有するコンテンツを利用できなくする構成であってもよい。
【００５３】
上述の実施形態では、本発明によるパスワード設定部及びパスワード認証部、セキュリティ管理部を備えた画像形成装置について説明したが、パスワード設定部及びパスワード認証部、セキュリティ管理部は他の装置、例えばスキャナ装置を備えたファクシミリ装置にも適用可能である。また金融機関等に設置されているや現金自動預払機や、各種ネットワークへアクセスする場合など、パスワードによる認証が必要な種々の用途において適用可能である。
【００５４】
その他、本発明の特許請求の範囲内で種々の設計変更が可能であることはいうまでもない。上述した各実施形態を、本発明による作用効果が奏される範囲で適宜組み合わせることも可能である。
【００５５】
上述の実施形態は、何れも本発明の一例に過ぎず、本発明による作用効果が奏される範囲でその具体的構成を適宜変更可能なことは言うまでも無い。
【図面の簡単な説明】
【００５６】
【図１】本発明による画像形成装置の概略図
【図２】本発明による画像形成装置の操作部の説明図
【図３】本発明による画像形成装置の制御部のブロック図
【図４】本発明によるユーザ名及びパスワード設定のフローチャート
【図５】（ａ）は第一設定モードによるパスワードの説明図、（ｂ）は第一設定モードによるパスワードの説明図、（ｃ）は第二設定モードによるパスワードの説明図
【図６】本発明によるログイン時のフローチャート
【図７】本発明によるログイン時の操作部の説明図
【図８】本発明によるセキュリティレベルの自動設定の説明図
【符号の説明】
【００５７】
１００：画像形成装置
１１０：原稿載置部
１２０：画像読取部
１２１：画像読取制御部
１３０：画像形成部
１３１：画像形成制御部
１４０：給紙カセット
１５０：用紙排出部
２００：操作部
２０１：液晶表示部
２０２：テンキー
２０３：スタートキー
２０４：ストップ／クリアキー
２０５：リセットキー
２０６：コピーモードキー
２０７：プリンタモードキー
２０８：スキャナモードキー
２０９：ＦＡＸモードキー
２１０：輝度調整つまみ
２１１：初期設定キー
２１２：部門管理キー
２１３：割込キー
２１４：節電キー
２１５：テンキー
２１６：ログイン画面
２１７：機能設定画面
２１８：表示
２２０：操作制御部
２２１：パスワード設定部
２２２：パスワード認証部
３００：システム制御部
３０１：マイクロコンピュータ
３０２：ＲＯＭ
３０３：ＲＡＭ
３０４：ハードディスク
３０５：ＦＡＸモデム
３０６：パーソナルコンピュータ
３０７：パーソナルコンピュータ
３０８：インタフェース回路
３０９：コマンドバス
３１０：画像バス
３１１：セキュリティ管理部
６００：ユーザ
６０１：ユーザ
【図１】
2009104339.tif 000003
【図２】
2009104339.tif 000004
【図３】
2009104339.tif 000005
【図４】
2009104339.tif 000006
【図５】
2009104339.tif 000007
【図６】
2009104339.tif 000008
【図７】
2009104339.tif 000009
【図８】
2009104339.tif 000010